(57)【要約】【課題】簡単な構成で、アイピースの光軸が傾斜するのを容易かつ確実に防止する。【解決手段】望遠鏡側アダプタ２１は、光軸と同心にアイピース３２の中間部の外周を覆うアダプタ筒２１０と、基端部がアダプタ筒２１０に螺着される押圧リング２１１とを備え、押圧リング２１１には、内径が降順の内周面２１１０、２１１２、２１１１が形成され、内周面２１１１と内周面２１１２との間に垂直段差部又は傾斜段差部が形成されている。押圧リング２１１の先端側雌ねじをアダプタ筒２１０の先端部外周面の雄ねじに螺合させることにより、該垂直段差部の端面又は該傾斜段差部の傾斜面が、アイピース３２の外周面に形成された突出リング３２３の観察側の端面又は角を押圧してアイピース３２の光軸を修正するとともに固定する。【選択図】図１
2005234463.tif 000002
【特許請求の範囲】
【請求項１】
望遠鏡をデジタルカメラに接続するアダプタの望遠鏡側アダプタであって、望遠鏡本体基端部にアイピースの先端部が挿入係着される構成の望遠鏡に用いられ、該望遠鏡本体基端部には該アイピースの先端部が挿入されるリング部を有し、該リング部の周面にねじが形成されており、該望遠鏡側アダプタは、
該ねじに螺合するねじが基端部周面に形成され、先端部周面にねじが形成され、光軸と同心に該アイピースの少なくとも中間部の外周を覆うアダプタ筒と、
該アダプタ筒の先端部のねじに螺合するねじが周面に形成され、該アイピースの先端部が遊嵌される円環部が光軸と同心に形成され、該円環部の内周面に垂直段差部又は傾斜段差部が形成された押圧リングと、
を有し、該押圧リングのねじを該アダプタ筒の先端部外周面のねじに螺合させることにより、該垂直段差部の端面又は該傾斜段差部の傾斜面が、直接又は間接的に、該アイピースの外周面に設けられた突出リングの観察側の端面若しくは角又は該アイピースの先端面縁部を押圧して該アイピースの光軸を修正するとともに固定するようにしたことを特徴とするデジタルカメラ用望遠鏡側アダプタ。
【請求項２】
該アダプタ筒の先端部周面に形成されたねじは雄ねじであり、該押圧リングに形成されたねじは雌ねじであり、該押圧リングは、
基端側に該雌ねじが形成された第１内径の内周面と、
先端側に形成され該第１内径より小さい第２内径の内周面と、
該第１内径の内周面と該第２内径の内周面との間の領域に形成され、該第１内径より小さく該第２内径より大きい第３内径の内周面、又は該第１内径側から該第２内径側へと内径が漸増するテーパ内周面と、
を有し、該第２内径の内周面と該第３内径の内周面との間が該垂直段差部に相当し又は該テーパ内周面が該傾斜段差部に相当することを特徴とする請求項１記載のデジタルカメラ用望遠鏡側アダプタ。
【請求項３】
該アダプタ筒の先端部周面に形成されたねじは雌ねじであり、該押圧リングに形成されたねじは雄ねじであり、該押圧リングの円環部正面に螺進操作手段が形成されていることを特徴とする請求項１記載のデジタルカメラ用望遠鏡側アダプタ。
【請求項４】
請求項１乃至３のいずれか１つに記載のデジタルカメラ用望遠鏡側アダプタと、
デジタルカメラの対物レンズと同心に該デジタルカメラの対物レンズ鏡筒又は該対物レンズ鏡筒の外側のリングに形成されたねじと螺合するねじが、基端部周面に形成され、該デジタルカメラ用望遠鏡側アダプタの該押圧リングの先端部又は該アダプタ筒の先端部が嵌入される先端部が設けられ、光軸と同心である筒状カメラ側アダプタと、
を有することを特徴とするデジタルカメラアダプタ。
【発明の詳細な説明】
【技術分野】
【０００１】
本発明は、デジタルカメラ用望遠鏡側アダプタに関する。
【背景技術】
【０００２】
図７（Ａ）に示す如く、デジタルカメラ１０にアダプタ２０を介して望遠鏡３０を接続することにより、野鳥等を超望遠撮影する安価な装置を構成することができる。
【０００３】
望遠鏡３０では、望遠鏡本体３１の基端部にアイピース３２がバヨネット機構で係着されている。すなわち、アイピース３２の小径先端部外周面に、半径方向外側へ突出したバヨネット突起３２０が、１２０度回転対称に３つ形成されている。これに対応して、望遠鏡本体３１のアイピース挿入口の内周面には、半径方向内側へ突出した突起３１０が、１２０度回転対称に３つ形成されている。突起３１０の対物レンズ側端面には、バヨネットばね３１１（板ばねであり、図７ではこのばねが模式的に記載されている。他図についても同様。）が付勢可能に固定されている。
【０００４】
したがって、アイピース３２の先端部を望遠鏡本体３１に挿入し、アイピース３２を約６０度回転させることにより、バヨネット突起３２０でバヨネットばね３１１が押圧付勢されて突起３１０と対向し、アイピース３２が光軸方向対物レンズ側に押圧されてアイピース３２が望遠鏡本体３１に係着される。
【０００５】
ところが、このような係着動作を多数回繰り返すと、バヨネットばね３１１が疲労して非弾性変形し、その付勢力が弱まって図７（Ｂ）に示す如く、アイピース３２の光軸が望遠鏡本体３１の光軸に対し傾斜する。肉眼でアイピース３２を覗く場合には、この傾斜に応じて覗けばよいので、その影響は小さいが、デジタルカメラアダプタ２０Ｘでデジタルカメラ１０に望遠鏡３０を接続した場合には、デジタルカメラ１０の光軸が望遠鏡本体３１の光軸に一致したままであるので、アイピース３２からデジタルカメラ１０への入射光量が減少し、さらには、本来ならケラレが生じないズーム倍率でもケラレが生ずる原因となる。
【０００６】
入射光量は望遠鏡とカメラの各々の倍率の積の平方に反比例するが、野鳥等の超望遠撮影ではこの倍率が比較的高いので、入射光量が小さく、このため露出時間が比較的長くなり、被写体ブレやカメラブレが生じやすい。このような条件のもとで、前記光軸傾斜によりデジタルカメラ１０への入射光量がさらに減少すると、その影響が大きいので、これを未然に防止することが望ましい。
【０００７】
この光軸傾斜は、使用回数増加に伴って徐々に増加するので、入射光量が徐々に減少し、これに気付かずに撮影を続けることになり、シャッターチャンスが少ない野鳥撮影愛好家等には重要な問題である。
【０００８】
従来のデジタルカメラアダプタ２０Ｘでは、例えば下記特許文献１記載の構成のように、このような問題が全く考慮されていなかった。
【０００９】
接眼レンズにカメラを着脱可能に保持させるためのカメラ取付用アダプターが下記特許文献２に記載されているが、これは接眼レンズとカメラの光軸を合わせるものであり、望遠鏡本体に対する接眼レンズの光軸合わせについては記載がなく、また、構成が複雑でコスト高となる。
【特許文献１】特開２００３−２９８８８６号公報
【特許文献２】特開２００４−０２０７７０号公報
【発明の開示】
【発明が解決しようとする課題】
【００１０】
本発明の目的は、本発明者によるこのような着眼点に基づき、アイピース先端部が挿入係着される構成の望遠鏡をデジタルカメラに接続する場合に、アイピースの光軸が傾斜するのを容易かつ確実に防止することが可能な、簡単な構成のデジタルカメラ用望遠鏡側アダプタを提供することにある。
【課題を解決するための手段】
【００１１】
以下、括弧内は図中の符号を示すが、理解を容易にするための例示であってこれに限定されるものではない。
【００１２】
本発明の一実施態様は、望遠鏡をデジタルカメラに接続するアダプタの望遠鏡側アダプタ（図１（Ａ）の２１）であって、望遠鏡本体基端部（３１）にアイピース（３２）の先端部が挿入係着される構成の望遠鏡（３０）に用いられ、該望遠鏡本体基端部（３１）には該アイピース（３２）の先端部が挿入されるリング部を有し、該リング部の周面にねじが形成されており、該望遠鏡側アダプタは、
該ねじに螺合するねじ（２１１０）が基端部周面に形成され、先端部周面にねじ（２１０１）が形成され、光軸と同心に該アイピース（３２）の少なくとも中間部の外周を覆うアダプタ筒（２１０、図４（Ａ）の２１１Ａ）と、
該アダプタ筒の先端部のねじ（２１０１）に螺合するねじが周面に形成され、該アイピース（３２）の先端部が遊嵌される円環部が光軸と同心に形成され、該円環部の内周面に垂直段差部（２１１１と２１１２との間）又は傾斜段差部（図４（Ａ）の２１１８）が形成された押圧リング（２１１、２１１Ｂ）とを有する。
【発明の効果】
【００１３】
この一実施態様の望遠鏡側アダプタによれば、該押圧リングのねじを該アダプタ筒の先端部外周面のねじに螺合させるという簡単な動作により、該垂直段差部の端面又は該傾斜段差部の傾斜面が、直接（図１（Ａ）、図４（Ａ））又は間接的（図６（Ｂ））に、該アイピースの外周面に設けられた突出リングの観察側の端面若しくは角又は該アイピースの先端面縁部（図６（Ａ））を押圧して該アイピースの光軸を修正するとともに固定するので、アイピースの光軸が傾斜するのを容易かつ確実に防止することができる。
【００１４】
本発明の他の目的、構成及び効果は以下の説明から明らかになる。
【発明を実施するための最良の形態】
【００１５】
以下、図面を参照して本発明の実施例を説明する。
【実施例１】
【００１６】
図１（Ａ）は、本発明の第１実施例のデジタルカメラアダプタ２０の装着状態を示しており、デジタルカメラ１０以外について光軸下側で外部側面を示し、光軸上側で一部縦断面及び内部側面を示す図である。図１（Ｂ）は、図１（Ａ）中の押圧リング２１１の正面図である。
【００１７】
デジタルカメラアダプタ２０は、予め望遠鏡３０に装着される望遠鏡側アダプタ２１と、予めデジタルカメラ１０に装着されるカメラ側アダプタ２２とからなり、これら装着後にアイピース３２を覗いて被写体が定められ、両者が嵌着されて撮影が行われる。
【００１８】
図２は、望遠鏡３０との関係で望遠鏡側アダプタ２１を示す分解側面図であり、図３はデジタルカメラ１０との関係でカメラ側アダプタ２２を示す分解側面図である。
【００１９】
デジタルカメラアダプタ２０の各リング状部材及び筒状部材は、雄ねじ部、雌ねじ部及びノブ２２１１の部分を除いて、光軸の回りに回転対称形であり（他の実施例及び変形例についても同様。）、アルミ等の円柱部材をその軸芯の回りに回転させながら切削することにより容易に形成することができる。
【００２０】
図３に示す如く、カメラ側アダプタ２２は、デジタルカメラ１０のメーカ、型式に応じて取り替えられるアダプタ筒２２０と、デジタルカメラ１０のメーカ、型式によらず共通に用いられる嵌合リング２２１とからなる。
【００２１】
デジタルカメラ１０は、ズームレンズ１１の基端部外周にズームレンズ１１と同心のアダプタリング１２が設けられ、図１（Ａ）に示す如く、アダプタリング１２の先端部内周面に雌ねじ１２０が形成されている。
【００２２】
この雌ねじ１２０に対応してアダプタ筒２２０の小径基端部に雄ねじ２２００が形成されており、これがアダプタリング１２の雌ねじ１２０と螺合されてアダプタ筒２２０がデジタルカメラ１０に取着される。アダプタ筒２２０の大径先端部内周面には、雌ねじ２２０１が形成されている。これに対応して嵌合リング２２１の基端部外周面には雄ねじ２２１０が形成され、これをアダプタ筒２２０の雌ねじ２２０１に螺合させることにより、嵌合リング２２１がアダプタ筒２２０に取着される。
【００２３】
図２に於いて、望遠鏡３０の望遠鏡本体３１とアイピース３２とは、背景技術の欄で述べた構成と同一であり、アイピース３２の先端部を望遠鏡本体３１に挿入回転させることにより、バヨネット機構でアイピース３２が光軸方向対物レンズ側に押圧されてアイピース３２が望遠鏡本体３１に係着される。図２中、バヨネット突起３２１はバヨネット突起３２０と１２０度回転対称のものである。
【００２４】
アイピース３２のスリーブ３２２の外周面には、拡径された突出リング３２３がスリーブ３２２と一体形成されている。突出リング３２３は、１〜２ｍｍ程度の厚みをもち、この部分を手で持って望遠鏡本体３１にアイピース３２を係着させる際の摘み、又は、目をアイピース３２に接近させて覗く場合にクッション役を果たすゴムカバーをアイピース３２先端部に環着させる際のストッパーとして機能し、突出リング３２３の表面に滑り止めのギザギザが形成されているものもある。
【００２５】
望遠鏡側アダプタ２１は、望遠鏡３０のメーカ、型式に応じて取り替えられるアダプタ筒２１０と、望遠鏡３０のメーカ、型式によらず共通に用いられる押圧リング２１１とからなる。
【００２６】
望遠鏡本体３１の小径先端部外周面には、雄ねじ３１２が形成され、一方、アダプタ筒２１０の基端側内周面には、図１（Ａ）に示す如く、雌ねじ２１００が形成されており、両者が螺合されてアダプタ筒２１０が望遠鏡本体３１に取着される。
【００２７】
アダプタ筒２１０の先端部外周面には雄ねじ２１０１が形成され、これに対応して押圧リング２１１の基端部内周面には、図１（Ａ）に示す如く、雌ねじ２１１０が形成されており、両者が螺合されて押圧リング２１１がアダプタ筒２１０に取着される。
【００２８】
押圧リング２１１には、雌ねじ２１１０が形成された内周面の他に、押圧リング２１１の先端部に形成され雌ねじ２１１０の内周面よりも小径の内周面２１１２と、雌ねじ２１１０と内周面２１１２との間に形成され径が両者の中間である内周面２１１１とを有している。内周面２１１１の内径はスリーブ３２２の外径よりも大きく、内周面２１１２の内径は、スリーブ３２２と突出リング３２３の外径の中間の値である。内周面２１１２とアイピース３２の先端部外周面とのクリアランスの必要最小値は、機械的加工誤差があってもアイピース３２の先端部が内周面２１１２内に嵌合できる値であり、加工精度にも依るが、例えば０．０３ｍｍである。この誤差は、主に螺合部で螺着時に生ずる
このような構成により、アイピース３２を望遠鏡本体３１に係着させ、アダプタ筒２１０を望遠鏡本体３１の基端部に螺着した状態で、押圧リング２１１の雌ねじ２１１０をアダプタ筒２１０の雄ねじ２１０１に螺合させると、内周面２１１１と２１１２の境界の端面が突出リング３２３の端面３２４と当接し、さらに端面３２４を押圧し、スリーブ３２２の端面３２５が望遠鏡本体３１の端面３１３を押圧してアイピース３２が固定される。
【００２９】
したがって、バヨネットばね３１１が疲労により非弾性変形しアイピース３２の光軸が望遠鏡本体３１の光軸に対し傾斜しても、押圧リング２１１の雌ねじ２１１０をアダプタ筒２１０の雄ねじ２１０１に螺合させるという簡単な操作で、望遠鏡本体３１に対するアイピース３２の光軸傾斜が修正されながらアイピース３２が固定され、両光軸が確実に一致する。
【００３０】
また、アイピース３２の先端面縁部ではなく突出リング３２３の端面３２４を押圧しているので、見栄えが気になるアイピース３２の先端面が傷つけられることがなく、しかも、押圧後に内周面２１１２とアイピース３２の先端部外周面とのクリアランスが一様であるかどうか、すなわち光軸修正が適正に行われているかどうかを容易に確認できる。また、ズームレンズ１１の先端部外径がアイピース３２の先端面直径より大きい場合（この場合、アダプタ筒２２０が取り換えられる。）であっても、ズームレンズ１１をアイピース３２側へより接近させることができる。
【００３１】
押圧リング２１１の先端部外周面には、溝２１１３が形成されている。これに対応して、嵌合リング２２１の外周面に１つの螺孔が形成され、これにノブ２２１１の先端側のねじが螺入されている。
【００３２】
したがって、予め望遠鏡本体３１に望遠鏡側アダプタ２１を装着しデジタルカメラ１０にカメラ側アダプタ２２を装着した状態で、嵌合リング２２１に押圧リング２１１の先端部を嵌入させ、ノブ２２１１を回すことにより、デジタルカメラ１０に望遠鏡３０が装着されるとともに両光軸が一致し、超望遠撮影装置となる。
【実施例２】
【００３３】
図４（Ａ）は、本発明の第２実施例のデジタルカメラアダプタ２０Ａの装着状態を示しており、デジタルカメラ１０以外について光軸下側で外部側面を示し、光軸上側で内部側面及び一部縦断面を示す図である。図４（Ｂ）は図４（Ａ）中のアダプタ筒２１１Ａの正面図である。
【００３４】
図４（Ａ）において、図１（Ａ）と同一又は対応する構成要素にはそれぞれ同一又は類似の符号が付されており、デジタルカメラアダプタ２０Ａのアダプタリング２１０Ａ、アダプタ筒２２１Ａ、アダプタリング２２０Ａはそれぞれ図１（Ａ）のデジタルカメラアダプタ２０のアダプタ筒２１０、嵌合リング２２１、アダプタ筒２２０に対応し、アダプタ筒２１１Ａと押圧リング２１１Ｂとの組み合わせは図１（Ａ）の押圧リング２１１に対応している。
【００３５】
アダプタ筒２１１Ａの基端部内周面に形成された雌ねじ２１１０Ａは、アダプタリング２１０Ａの外周面に形成された雌ねじ２１１０Ａと螺合する。同様に、アダプタ筒２２１Ａの基端部外周面に形成された雄ねじ２２１０Ａは、アダプタリング２２０Ａの先端部内周面に形成された雌ねじ２２０１Ａと螺合する。
【００３６】
アダプタ筒２１１Ａの先端部内周面には雌ねじ２１１４が形成され、これに対応して押圧リング２１１Ｂの外周面に雄ねじ２１１５が形成されている。押圧リング２１１Ｂの円環板部には、螺進操作手段として、孔２１１６及び２１１７が１８０度回転対称に形成されている。
【００３７】
孔２１１６及び２１１７に指先を当て又は通して押圧リング２１１Ｂを回転させることにより、雌ねじ２１１４に対し押圧リング２１１Ｂを螺進させると、押圧リング２１１Ｂの中央部に形成されたテーパ内周面２１１８が、突出リング３２３のアイピース先端側の角を押圧し、上記第１実施例で述べた効果が得られる。本第２実施例では特に、テーパ内周面２１１８の突出リング３２３に対する押圧方向が光軸に平行な成分のみならず光軸に垂直な成分を有するので、光軸傾斜の修正がより確実に行われる。また、アイピース３２の先端面縁部ではなく突出リング３２３の角を押圧しているので、ズームレンズ１１の先端部外径がアイピース３２の先端面直径より大きい場合であっても、ズームレンズ１１をアイピース３２側へより接近させることができる。
【００３８】
なお、押圧リング２１１Ｂの円環板部が板ばねとして機能するように円環板部を薄く形成し、押圧リング２１１Ｂの内周面にテーパをつけないでもよい。この場合、押圧リング２１１Ｂの螺進操作によりアイピース３２に力が加わり過ぎるのを防止することができる。
【００３９】
雌ねじ２１１４及び雄ねじ２１１５を形成せずにアダプタ筒２１１Ａと押圧リング２１１Ｂとを一体形成して雄ねじ２１０１Ａに対しアダプタ筒２１１Ａを螺進させることにより上記同様の効果を得ることができる。しかし、押圧リング２１１Ｂをアダプタ筒２１１Ａと別体としたことで、外径が異なるアイピース３２に応じて異なる押圧リング２１１Ｂを形成することにより、アダプタ筒２１１Ａを共通に用いることができる。また、アダプタ筒２１１Ａをアダプタリング２１０Ａにタイトに螺着させた状態で、押圧リング２１１Ｂをアダプタ筒２１１Ａに螺合させることができるので、アダプタリング２１０Ａに対しアダプタ筒２１１Ａにガタが生ずるのを防止することができる。
【００４０】
なお、本発明には外にも種々の変形例が含まれる。
【００４１】
例えば上記第１実施例において、図５（Ａ）に示すように、押圧リング２１１Ｃの内周面２１１１Ｃをテーパにして、このテーパ内周面で突出リング３２３の先端側角部を押圧する構成であってもよい。
【００４２】
また、アイピース３２のスリーブに突出リング３２３が一体形成されていない場合には、図５（Ｂ）に示すように、スリーブにリング３２３Ａを外嵌させてねじ３２６でスリーブに固定することにより突出リングを形成して、以上の実施例を適用することができる。ねじ３２６は例えば、リング３２３Ａの中心の回りに１２０°回転対称に、リング３２３Ａに３本螺合されている。ねじの代わりに接着剤でリング３２３Ａをスリーブに固着してもよい。リング３２３Ａの厚みは、好ましくは０．５ｍｍ以上にする。アイピース３２のスリーブに突出リング３２３が一体形成されているが、その位置がアイピース３２の先端面から離れすぎている場合にも、リング３２３Ａを上述のように環着して以上の実施例を適用することができる。
【００４３】
リング３２３Ａをアイピースに環着する代わりに、図７（Ａ）に示す如く、押圧リング２１１Ｄの先端面部に、内側に突出したリング板部２１１９を形成して、アイピース３２Ｂの先端面縁部を段差部で押圧する構成であってもよい。カメラ１０のレンズ１１をアイピース３２Ｂ側へより接近させることができるようにするため、リング板部２１１９の板厚は、薄い方が好ましく、１ｍｍ以下にする。板厚の最小値は、強度との関係で材質による。
【００４４】
また、図５（Ｂ）のリング３２３Ａをアイピースに環着する代わりに、図７（Ｂ）に示す如く、押圧リング２１１にリング２１１ａを嵌入させて、その基端面でアイピース３２Ｂの基端側突出リング３２３Ｂの先端面を押圧する構成であってもよい。図６（Ｂ）のデジタルカメラアダプタ２０Ｅは、リング２１１ａと図１（Ａ）のデジタルカメラアダプタ２０とで構成されている。
【００４５】
さらに、図４の押圧リング２１１Ｂの円環板部には、螺進操作手段として孔２１１６及び２１１７の代わりに、突起を設けてもよい。
【図面の簡単な説明】
【００４６】
【図１】（Ａ）は本発明の第１実施例のデジタルカメラアダプタの装着状態を示しており、デジタルカメラ以外について光軸下側で外部側面を示し、光軸上側で一部縦断面及び内部側面を示す図であり、（Ｂ）は、（Ａ）中の押圧リングの正面図である。
【図２】望遠鏡との関係で望遠鏡側アダプタを示す分解側面図である。
【図３】デジタルカメラとの関係でカメラ側アダプタを示す分解側面図である。
【図４】（Ａ）は本発明の第２実施例のデジタルカメラアダプタの装着状態を示しており、デジタルカメラ以外について光軸下側で外部側面を示し、光軸上側で一部縦断面及び内部側面を示す図であり、（Ｂ）は、（Ａ）中の押圧リングの正面図である。
【図５】（Ａ）及び（Ｂ）はいずれも本発明の第１実施例のデジタルカメラアダプタの変形例を示しており、デジタルカメラ以外について光軸下側で外部側面を示し、光軸上側で一部縦断面及び内部側面を示す図である。
【図６】（Ａ）及び（Ｂ）はいずれも本発明の第１実施例のデジタルカメラアダプタの他の変形例を示しており、デジタルカメラ以外について光軸下側で外部側面を示し、光軸上側で一部縦断面及び内部側面を示す図である。
【図７】従来技術の問題点説明図である。
【符号の説明】
【００４７】
１０  デジタルカメラ
１１  ズームレンズ
１２、２２０Ａ  アダプタリング
１２０、２１００、２１１０、２１１０Ａ、２１１４、２２０１、２２０１Ａ  雌ねじ
２０、２０Ａ〜２０Ｅ、２０Ｘ  デジタルカメラアダプタ
２１  望遠鏡側アダプタ
２１０、２１１Ａ、２２０、２２１Ａ  アダプタ筒
２１０１、２１０１Ａ、２１１５、２２００、２２１０、２２１０Ａ、３１２  雄ねじ
２１０Ａ、２２０Ａ  アダプタリング
２１１、２１１Ｂ〜２１１Ｄ  押圧リング
２１１１、２１１２  内周面
２１１１Ｃ、２１１８  テーパ内周面
２１１３  溝
２１１６  孔
２２  カメラ側アダプタ
２２１  嵌合リング
２２１１  ノブ
３０  望遠鏡
３１  望遠鏡本体
３１０  突起
３１１  バヨネットばね
３１３、３２４  端面
３２  アイピース
３２０、３２１  バヨネット突起
３２２  スリーブ
３２３、３２３Ｂ  突出リング
３２３Ａ  リング
３２６  ねじ
【図１】
2005234463.tif 000003
【図２】
2005234463.tif 000004
【図３】
2005234463.tif 000005
【図４】
2005234463.tif 000006
【図５】
2005234463.tif 000007
【図６】
2005234463.tif 000008
【図７】
2005234463.tif 000009